(57)【要約】      （修正有）【課題】仰向けや横向きの人体の脚部に負荷される布団の重さを複数本のアーチ型脚と該アーチ型部に嵌合したアーチ型の天板で構成したため、脚部に係る布団の重さを回避でき布団の重さによる痛み、不快感を排除でき、温熱環境も熱源の組み付けにより調整でき、かつアーチ型脚と天板の装着が嵌合により極めて容易に着脱できるため上記回避具の解体、移動、収納、組み付けが容易であり、整理や収納に場所をとらない。【解決手段】アーチ型脚２のアーチ型部にアーチ型の天板４を嵌合して着脱可能に装着し、かつ天板の表面に布団すべり防止層６を設け、天板の裏面に熱源を装着すると共に、天板の端部裏面に形成した収納溝にアーチ型脚のアーチ型部を嵌合して一体化した構成とした。【選択図】図１
0003139838.tif 000002
【実用新案登録請求の範囲】
【請求項１】
アーチ型を頂面に有する複数本のアーチ型脚と、該アーチ型に合致するアーチ部形状の曲面を有する天板と、該天板の側縁に上記アーチ型と嵌合すると共に、収納する嵌合溝を形成しアーチ型脚と天板を着脱可能に装着したことを特徴とする組み立て式布団重量回避具
【請求項２】
天板の表面に布団すべり防止層を設けたことを特徴とする請求項１記載の組み立て式布団重量回避具。
【請求項３】
天板の裏面に、熱源を設けたことを特徴とする請求項１，または２記載の組み立て式布団重量回避具。
【考案の詳細な説明】
【技術分野】
【０００１】        本考案は、主に就寝時に布団の重さによる膝など脚部に重さ、重さによる圧迫、不快感、痛み等を感ずる人の重さ回避具に係り、布団の滑り防止と脚部に係る重さを排除し、かつ人工熱源の付加で快適な温環境にすると共に、身体の動きでずれる布団の滑り防止も図った組み立て式布団重量避難具に関するものである。
【背景技術】
【０００２】        例えば、膝に痛みのある人、老人等が布団をかけて就寝した際は、布団の重さが健常者と異なり、膝等の弱点箇所に直にその重さが感じられるので痛さと不快感があり、その回避策が求められていた。そのため対策としては、コタツの上に布団をかけ、布団の重さを回避して就寝する構成であった。（例えば、特許文献１参照）。
また、その他の事例としては、鉄製の重圧排除ガードの上に布団をかけて就寝する提案があった（例えば、特許文献２参照）。
【特許文献１】特許公開２００６−９０５６８
【特許文献２】登録実用新案第３１０００９３号
【考案の開示】
【考案が解決しようとする課題】
【０００３】        従来のこの種対策では、就寝時等に布団の重さを回避するための脚部空間構成が知られていない。また、従来の脚部を温めるコタツ方式ではこのような問題を副次的に回避できるが、目的が脚部を暖めることである。従って、この場合は、脚の短さやコタツ自体の幅の広さにより身長の大きさなど種々の課題があり、しかもヒーターの突起が邪魔となり、これに接触等し易く膝に痛みのある人に取っては、快適で無い問題があった。
【課題を解決するための手段】
【０００４】        このような課題を解決するため、本考案は、就寝時等のように人体が横向きや仰向きに成った際に布団の重さの負荷が掛からないようにアーチ型装着支柱にアーチ型の天板を設け、かつ天板に布団すべり阻止材を装着し、さらに脚部存在空間を温熱空間にするために熱源のヒーターを天板裏面に脚部に接触しない位置に配置すると共に、避難具の移動や持ち運びと収納を容易にするため組み立ても簡単に構成したことを特徴とする組み立て式布団重量回避具を提供することである。
【考案の効果】
【０００５】        本考案に係る組み立て式布団重量回避具によれば、骨格を複数本のアーチ型脚間隔に配置したため脚部空間が高く設定したので布団の重さの脚部への負荷を回避できる。また、アーチ型支柱に合致するアーチ型に成形した天板を着脱自在に装着したので組み立てが極めて容易であり、解体、移動、及び収納が簡単である。【０００６】        しかも、天板の表面には布団すべり防止材を設けたため、使用時に布団が天板からずり落ちる不具合を招来することもなく、さらに天板裏面には脚部空間に温熱を与える熱源としてヒーターを膝等に接触しないような位置に装着することもできるので温熱環境も改善できる。
【考案を実施するための最良の形態】
【０００７】        以下に、図面を用いて本考案に組み立て式布団重量回避具の一実施例を詳細に説明する。図１は組み立て式布団重量回避具の全体を示す概略説明斜視図、図２はアーチ型脚を抽出して示す斜視図であり、図３（ａ）、（ｂ）は天板を抽出して示し、図（ａ）は展開前の平板状の平面図であり、図（ｂ）はアーチ型に成形した天板の正面図、図４は天板の裏面の熱源カバーを取り除いて示す底面図、図５は熱源カバーを装着した場合の底面図、図６は図１のＡ−Ａ線における端面図、図７は図１のＢ−Ｂ線における天板を抽出して示す端面図、図８は天板の構成部材を分解して示す説明図、図９は仰向けに寝た人に組み立て式布団重量回避具を使用した状態を示す説明図である。【０００８】    １は組み立て式布団重量回避具、２はアーチ型脚、４は天板、５は布団すべり防止層、６は収納溝、８は熱源、１０は熱源カバー、１２は布団、１３は脚部空間である。さらに説明すると、アーチ型脚２は複数本、図１及び図２に示すように２本を対面して配置したものであり、頂面に有するアーチ型部分２ａには天板４を着脱自在に嵌合する嵌合突起３を複数個適宜間隔で設ける。【０００９】      また、アーチ型脚２の材質は熱伝導の良くない木製、樹脂製、或いは熱不良導体で被覆した金属製等の一種から構成し、形状は円形、楕円形、その変形等であり、角部が面取りされ、人体や脚部に接触しても危害を与えない形状である。さらに、アーチ型脚２は組み立て、収納、及び移動等の便宜上からも軽い円筒形断面や、乾燥木材等で形成することが好ましい。【００１０】        天板４は図３（ａ）、（ｂ）に示すように全体的にアーチ型脚２に合致するアーチ型に形成したものであり、板材の表面板５とその表面５ａに設けたすべり防止層６と、裏面５ｂに設けたヒーター等の熱源９と熱源カバー１１とから構成し、その素材としては木製製、合板製、合成樹脂製、金属製などの１種を用い、耐熱性、加工性、及び軽さ等から適宜に選択するものであり、これら素材の一種以上からなる平板を加工して図（ｂ）に示すようにアーチ型に成形する。【００１１】        表面板５の表面５ａには、布団すべり防止層６を設け、布団すべり層６は例えば、図１，図３（ａ）、（ｂ）、図６に示す範囲に一体に設け、布団１３がアーチ型の天板４からすべり落ちないように摩擦力等が機能するように形成したものであり、表面が平滑でない塗膜層、シートなどの一種以上からなり、シートは布、皮、合成皮革、樹脂シート、ゴム製で表面がすべらない凹凸があるような表面状、ネット状のものである。勿論、布団に引っかかるような突起や形状は好ましくない。【００１２】      また、天板４のアーチ型はアーチ型脚２のアーチ型部分２ａにマッチする曲面であり、裏面５ｂの両側面には図４，及び図５、及び図６に示すようにアーチ型脚２のアーチ型部分２ａと嵌合し、アーチ型脚２のアーチ型部分２ａを収納する収納溝６とアーチ型脚２の嵌合突起３を嵌挿する装着孔８を設ける。さらに、裏面５ｂには図４，及び図から図８に示すようにヒーター等の熱源９を熱源留め具１０で表面板５に固定し、その外側に熱源９に対する人体の接触防止とやけど防止を図る熱源カバー１１、その両側から着脱可能なコ字状断面から��る熱源カバー装着具１２で一体に装着する。【００１３】      熱源９は表面板５の裏面５ｂに着脱自在に装着するものであり、遠赤外線を放射するヒーター、面状発熱体、および外部からパイプ等で供給される熱噴射口などである。熱源９は必要な熱量が得られるように１個以上配置する。また、熱源９は図９に示すように脚部空間１４において、人体の膝などの脚部に接触しない高さに設置する。【００１４】      次ぎに、本考案に係る組み立て式布団重量回避具の組み立て順序と使用法を簡単に説明すると、まずアーチ型脚２を対比させて置き、その上に天板４を載置して収納溝７にアーチ型脚２のアーチ型部分２ａを嵌合するだけで、組み立てが完了する。勿論、天板に４には布団すべり防止材６と熱源９は事前に装着してある。これを目的の布団１３の上に載置して脚部に対応する位置に調整し、布団１３を掛ければ完了する。また、解体するには、上記の逆行程をすればよい。【００１５】      上述したのは本考案に係る組み立て式布団重量回避具の一実施例にすぎず、アーチ型脚２と天板４を組み立てをアーチ型脚の嵌合突起３に天板４の装着孔８を嵌合するだけであり、必要によりネジ等の締結具を介在して組み立てたり、また布団すべり防止層６の範囲を表面板５の全面に設けたり、シマウマのように筋状に設けることも可能である。
【図面の簡単な説明】
【００１６】
【図１】本考案に係る組み立て式布団重量回避具の一実施例を示す概略説明斜視図である。
【図２】アーチ型脚の一例を示す斜視図である。
【図３】図（ａ）は表面板の展開前の平板状の平面図、図（ｂ）はアーチ型に成形後の正面図である。
【図４】本考案の要部である天板の熱源を取り除いて示す底面図である。
【図５】本考案の要部である天板に熱源カバーを装着して示す底面図である。
【図６】図１のＡ−Ａ線における端面図である。
【図７】図１のＢ−Ｂ線における端面図である。
【図８】本考案の要部である天板の構成を分解して示す説明図である。
【図９】本考案に係る組み立て式布団重量回避具を使用した際の説明図である。
【符号の説明】
【００１７】        １  布団重量回避具
２  アーチ型脚
４  天板
５  収納溝
６  布団すべり防止層
９  熱源
１１  熱源カバー
１３  布団
【図１】
0003139838.tif 000003
【図２】
0003139838.tif 000004
【図３】
0003139838.tif 000005
【図４】
0003139838.tif 000006
【図５】
0003139838.tif 000007
【図６】
0003139838.tif 000008
【図７】
0003139838.tif 000009
【図８】
0003139838.tif 000010
【図９】
0003139838.tif 000011